(57)【特許請求の範囲】
【請求項１】
パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機であって、
前記パネル収容部材は、
内部に前記パネル部材を収容するパネル収容部材本体と、
前記扉体の裏面側に設けられ、前記パネル部材を前記パネル収容部材本体の内部に収容するときに前記パネル部材が挿通する第１挿通部と、
前記扉体の裏面側に設けられ、前記パネル収容部材本体の内部に収容された前記パネル部材を取り出すときに前記パネル部材が挿通する第２挿通部と、
前記パネル部材の前記第２挿通部への進入を阻止する部位に位置した状態で前記パネル部材を支持することにより前記パネル部材が前記パネル収容部材本体に収容された状態を維持し、かつ前記パネル部材の前記第２挿通部への進入を可能にする部位に位置した状態で前記パネル部材の支持を解除することにより前記パネル部材の前記第２挿通部からの取り出しを可能にする支持部材と、
を有することを特徴とする遊技機。
【請求項２】
前記扉体に、前記第２挿通部を挿通した前記パネル部材を受け止める受止部材を設けたことを特徴とする請求項１に記載の遊技機。
【請求項３】
前記第１挿通部は、前記パネル収容部材の前記第２挿通部よりも重力作用方向上流側に形成された上側開口部であり、
前記第２挿通部は、前記パネル収容部材の前記第１挿通部よりも重力作用方向下流側に形成された下側開口部であることを特徴とする請求項１又は２に記載の遊技機。
【請求項４】
前記扉体の裏面側に、前記遊技部材が取り付けられる中板部材を前記扉体に対して開閉可能となるように設け、
前記中板部材を前記扉体に対して開放することで、前記第１挿通部及び前記第２挿通部が露呈されることを特徴とする請求項１乃至３のいずれか１項に記載の遊技機。
【発明の詳細な説明】
【技術分野】
【０００１】
本発明は、遊技球や遊技メダル等の遊技媒体を用いて遊技を行う遊技機に関する。
【背景技術】
【０００２】
従来から、装飾の施されたパネル部材を収容するパネル収容部材を備えた扉体と、扉体によって閉鎖可能な開口部を有する箱体と、扉体が開口部を閉鎖したときに扉体と箱体とで囲まれた内部空間に収容され遊技の進行を制御する遊技制御手段と、を有する遊技機が知られている。この遊技機は、パネル部材を特殊な構造（タグ付き）にすることで、パネル収容部材に収容されているパネル部材のパネル収容部材からの取り外しを容易にしている（下記特許文献１参照）。
【特許文献１】特開２００５−２１８７６５号公報
【発明の開示】
【発明が解決しようとする課題】
【０００３】
ところで、上記遊技機は、特殊な構造（タグ付き）を設けていない一般的なパネル部材をパネル収容部材から取り出すことが困難になる。具体的には、一般的な形状のパネル部材をパネル収容部材にスライドして挿入した後、新たな別のパネル部材と交換するときに、この交換作業が困難になる。
【０００４】
そこで、本発明は、パネル部材に特殊な構造を施すことなく、パネル部材をパネル収容部材から容易に取り出すことができる遊技機を提供することを目的とする。
【課題を解決するための手段】
【０００５】
請求項１に記載の発明は、パネル部材を収容するパネル収容部材を前面側に備えた扉体と、前記扉体によって閉鎖可能な開口部を有する箱体と、前記扉体が前記開口部を閉鎖したときに前記扉体と前記箱体とで囲まれた内部空間に収容され遊技の実行に必要な遊技部材と、を有する遊技機であって、前記パネル収容部材は、内部に前記パネル部材を収容するパネル収容部材本体と、前記扉体の裏面側に設けられ、前記パネル部材を前記パネル収容部材本体の内部に収容するときに前記パネル部材が挿通する第１挿通部と、前記扉体の裏面側に設けられ、前記パネル収容部材本体の内部に収容された前記パネル部材を取り出すときに前記パネル部材が挿通する第２挿通部と、前記パネル部材の前記第２挿通部への進入を阻止する部位に位置した状態で前記パネル部材を支持することにより前記パネル部材が前記パネル収容部材本体に収容された状態を維持し、かつ前記パネル部材の前記第２挿通部への進入を可能にする部位に位置した状態で前記パネル部材の支持を解除することにより前記パネル部材の前記第２挿通部からの取り出しを可能にする支持部材と、を有することを特徴とする。ここで、遊技部材としては、投入された遊技媒体を内部に導くための通路部材（所謂メダルセレクタやコインシュータ等）や各種制御基板等が挙げられる。
【０００６】
請求項１に記載の発明によれば、パネル収容部材の第１挿通部からパネル部材を挿通してパネル収容部材本体に収容する。このとき、支持部材がパネル部材の第２挿通部への進入を阻止する部位に位置するときに、支持部材がパネル部材を支持することにより、パネル部材がパネル収容部材本体に収容された状態を維持できる。一方、支持部材がパネル部材の第２挿通部への進入を可能にする部位に位置するときに、支持部材がパネル部材の支持を解除することにより、パネル部材を第２挿通部から取り出すことができる。このように、パネル部材に特殊な構造を施すことなく、パネル部材と支持部材との位置関係により、パネル部材をパネル収容部材から容易に取り出すことができる。
【０００７】
特に、第１挿通部及び第２挿通部が、扉体の前面側又は裏面側のうち同じ側に設けられているため、パネル収容部材に収容されたパネル部材を新しいパネル部材と交換するときに、新しいパネル部材を第１挿通部から挿通する作業と、古いパネル部材を第２挿通部から取り出す作業を、扉体の同じ側から同時に実行可能になる。これにより、パネル部材の交換作業を円滑に行うことができる。
【０００８】
また、第１挿通部及び第２挿通部が扉体の裏面側に設けられているため、扉体を箱体から開けない限り、パネル部材を取り出すことができない。このため、遊技者等がパネル部材に接触することを阻止でき、パネル部材に対する悪戯行為を防止できる。
【０００９】
請求項２の発明は、請求項１に記載の遊技機において、前記扉体に、前記第２挿通部を挿通した前記パネル部材を受け止める受止部材を設けたことを特徴とする。
【００１０】
請求項２の発明によれば、扉体には第２挿通部を挿通したパネル部材を受け止める受止部材が設けられているため、パネル部材が地面又は床面に落下することを防止できる。これにより、パネル部材を汚すことなく、効率良く回収することができる。
【００１１】
請求項３の発明は、請求項１又は２に記載の遊技機において、前記第１挿通部は、前記パネル収容部材の前記第２挿通部よりも重力作用方向上流側に形成された上側開口部であり、前記第２挿通部は、前記パネル収容部材の前記第１挿通部よりも重力作用方向下流側に形成された下側開口部であることを特徴とする。
【００１２】
請求項３の発明によれば、第１挿通部は、パネル収容部材の第２挿通部よりも重力作用方向上流側に形成された上側開口部であり、第２挿通部は、パネル収容部材の第１挿通部よりも重力作用方向下流側に形成された下側開口部である。これにより、パネル収容部材に収容されたパネル部材を第２挿通部から取り出すときには、パネル部材が重力の作用を受けて自由落下するため、パネル部材を容易に取り出すことができる。
【００１３】
請求項４に記載の発明は、請求項１乃至３のいずれか１項に記載の遊技機において、前記扉体の裏面側に、前記遊技部材が取り付けられる中板部材を前記扉体に対して開閉可能となるように設け、前記中板部材を前記扉体に対して開放することで、前記第１挿通部及び前記第２挿通部が露呈されることを特徴とする。
【００１４】
請求項４に記載の発明によれば、遊技部材が設けられた中板部材を扉体の裏面側に開閉可能に設けたことで、パネル部材が挿通する第１挿通部と第２挿通部を扉体により覆うことができる。これにより、第１挿通部と第２挿通部から異物（埃やチリ等）が混入することを防ぐことができ、パネル部材を清潔な状態に保つことができる。また、パネル部材の挿入作業と取出作業（パネル部材の交換作業）を行う際に、従来、扉体の裏面側に固定されていた遊技部材を取り外す手間を省くことができる。この結果、パネル部材の交換作業が容易になる。
【発明を実施するための最良の形態】
【００１５】
次に、本発明の第１実施形態に係る遊技機について、図面を参照して説明する。なお、本実施形態では、本発明を遊技機の一例であるスロットマシンに適用した構成を説明する。
【００１６】
図１及び図２に示すように、スロットマシン１０は、箱状に形成された箱体１２と、箱体１２の前面側に形成された開口部Ｍを閉鎖可能に設けられた前面扉（扉体）１４と、遊技メダルを貸し出すためのメダル貸出装置１６と、を備えている。なお、箱体１２と前面扉１４とで、スロットマシン１０の筐体が構成されている。
【００１７】
前面扉１４は、遊技の進行に応じた演出が行われる上段の領域１４Ａと、遊技メダルが払い出される下段の領域１４Ｂと、遊技が行われる中段の領域１４Ｃの大きく３つの領域から構成されており、更に中段の領域１４Ｃは、遊技の状態を表示するための遊技状態表示部１８と、遊技を行うための操作部２０と、から構成されている。
【００１８】
上段の領域１４Ａには、中央に演出表示装置２２が設けられている。また、この演出表示装置２２の左右には、スピーカ２４がそれぞれ設けられている。また、演出表示装置２２及びスピーカ２４の上方には、各種のランプ類２６が設けられている。演出表示装置２２は、いわゆる液晶表示装置によって構成されており、遊技の進行状況に合わせて種々の図柄を表示して演出を行うことが可能となっている。
【００１９】
また、前面扉１４の中段に設けられた遊技状態表示部１８の中央には、大きな表示窓２８が設けられており、内部に設けられた３つの回胴３０Ａ、３０Ｂ、３０Ｃが回転する様子を外部から視認することができるようになっている。また、表示窓２８の左右及び下方には、遊技の状態を表示する各種の表示パネル類３２がそれぞれ設けられている。
【００２０】
また、前面扉１４の中段下方に設けられた操作部２０は手前に向かって突出した形状に形成されており、その上面には遊技メダルを投入するための遊技メダル投入口３４と、クレジットとして貯留されている遊技メダルを１枚だけ投入するための一枚投入ボタン３６と、貯留されている遊技メダルを３枚投入するための三枚投入ボタン３７などが設けられている。なお、遊技メダルの貯留とは、遊技メダルを実際に払い出す代わりにメダルの枚数を記憶しておくことをいう。また、操作部２０の前面には、遊技メダルの投入後に回胴３０Ａ、３０Ｂ、３０Ｃの回転を開始するためのスタートレバー３８と、３つの回胴３０Ａ、３０Ｂ、３０Ｃの回転をそれぞれ停止させるための回胴停止ボタン４０Ａ、４０Ｂ、４０Ｃなどが設けられている。また、操作部２０の上面には精算ボタン４２が設けられ、前面には返却ボタン４４が設けられている。ここで、精算ボタン４２とは、遊技機１０の内部に貯留されている遊技メダルを外部に排出する際に操作するボタンである。また、返却ボタン４４とは、投入した遊技メダルが遊技機１０の内部で詰まった場合に、メダルの詰まりを解消するために操作されるボタンである。
【００２１】
また、前面扉１４の下段の領域１４Ｂには、パネル部材Ｐを収容するパネル収容部材１１０と、遊技メダルが排出される遊技メダル排出口４６と、排出された遊技メダルを受け止めるメダル受け皿４８などが設けられている。
【００２２】
ここで、パネル収容部材１１０の構成について詳細に説明する。
【００２３】
図２乃至図４に示すように、パネル収容部材１１０は、パネル部材Ｐを収容しかつ保持するためのものである。パネル部材Ｐは、厚さ０．５ｍｍのフイルムで構成されている。このパネル部材Ｐの表面には、スロットマシン１０に関するキャラクタなどの写真や絵が付されており、スロットマシン１０の宣伝（タイトル等）や遊技内容などを示唆する装飾物として機能している。
【００２４】
パネル収容部材１１０は、主として、内部にパネル部材Ｐを収容可能な収容空間部（後述する第１収容空間部１２０と第２収容空間部１２２）を有して構成されたパネル収容部材本体１１２と、パネル収容部材本体１１２内の収容空間部の上側端部に接続する上側開口部（第１挿通部）１１４Ａ、１１４Ｂと、パネル収容部材本体１１２内の収容空間部の下側端部に接続する下側開口部（第２挿通部）１１６Ａ、１１６Ｂと、パネル収容部材本体１１２に対して着脱可能に設けられた支持部材１２８と、で構成されている。また、パネル収容部材本体１１２には、前面側に無色透明の樹脂で構成された透明板１１３が形成されている。
【００２５】
図５に示すように、パネル収容部材本体１１２は、内部にパネル部材Ｐを収容可能な第１収容空間部１２０と、第１収容空間部１２０の前方に形成され第１収容空間部１２０と同様にパネル部材Ｐを収容可能な第２収容空間部１２２と、を備えている。第１収容空間部１２０と第２収容空間部１２２には透過性を有する仕切板１１５が設けられており、上側開口部１１４Ａから挿入されたパネル部材Ｐは第１収容空間部１２０に収容され、上側開口部１１４Ｂから挿入されたパネル部材Ｐは第２収容空間部１２２に収容される。また、第１収容空間部１２０と第２収容空間部１２２の容積は、パネル部材Ｐを収容可能となるような寸法に設定されている。
【００２６】
パネル収容部材本体１１２の上端部には、パネル収容部材本体１１２と上側開口部１１４Ａ、１１４Ｂとを連通させる上側誘導部１２４Ａ、１２４Ｂが形成されている。この上側誘導部１２４Ａ、１２４Ｂは、パネル部材Ｐを円滑に挿入するために滑らかな湾曲を有した形状とされており、パネル収容部材本体１１２に一体形成されている。
【００２７】
パネル収容部材本体１１２の下端部には、パネル収容部材本体１１２と下側開口部１１６Ａ、１１６Ｂとを連通させる下側誘導部１２６Ａ、１２６Ｂが形成されている。この下側誘導部１２６Ａ、１２６Ｂは、パネル部材Ｐを円滑に排出するために滑らかな湾曲を有した形状とされており、パネル収容部材本体１１２に一体形成されている。
【００２８】
上側開口部１１４Ａ、１１４Ｂは、前面扉１４の裏面側１４Ｙに開口するように形成されている。上側開口部１１４Ａ、１１４Ｂの各寸法は、パネル部材Ｐの寸法に対応して、パネル部材Ｐが円滑に挿入できる程度の寸法に設定されている。この上側開口部１１４Ａ、１１４Ｂは、パネル収容部材本体１１２の重力作用方向上流側に形成されている。
【００２９】
下側開口部１１６Ａ、１１６Ｂは、前面扉１４の裏面側１４Ｙであって上側開口部１１４Ａ、１１４Ｂの下方の部位に開口するように形成されている。下側開口部１１６Ａ、１１６Ｂの各寸法は、パネル部材Ｐの寸法に対応して、パネル部材Ｐが円滑に挿通できる程度の寸法に設定されている。この下側開口部１１６Ａ、１１６Ｂは、パネル収容部材本体１１２の重力作用方向下流側に形成されている。このため、下側開口部１１６Ａ、１１６Ｂの上方に対応する上側開口部１１４Ａ、１１４Ｂが形成されている構成になる。
【００３０】
なお、上側開口部１１４Ａ、１１４Ｂ及び下側開口部１１６Ａ、１１６Ｂは、前面扉１４の裏面側１４Ｙに形成されている構成に限られるものではなく、例えば、前面扉１４の前面側１４Ｘに形成されていてもよい。また、上側開口部１１４Ａ、１１４Ｂ又は下側開口部１１６Ａ、１１６Ｂの一方が前面扉１４の前面側１４Ｘ又は裏面側１４Ｙの一方に形成され、上側開口部１１４Ａ、１１４Ｂ又は下側開口部１１６Ａ、１１６Ｂの他方が前面扉１４の前面側１４Ｘ又は裏面側１４Ｙの他方に形成されている構成でもよい。
【００３１】
支持部材１２８は、パネル収容部材本体１１２の下端部近傍に着脱自在に取り付けられている。前面扉１４の裏面側１４Ｙには貫通孔（図示省略）が形成されており、支持部材１２８が前面扉１４の裏面側１４Ｙに貫通孔を貫通するようにして取り付けられる。この支持部材１２８は、全体としてピン状に構成されており、ヘッド部１３０と、軸部１３２と、を有している。この支持部材１２８が前面扉１４に取り付けられる状態としては、軸部１３２が貫通孔を貫通して第１収容空間部１２０及び第２収容空間部１２２に進入した状態で、ヘッド部１３０が前面扉１４の裏面側１４Ｙに係止される支持状態Ａと、軸部１３２が貫通孔を貫通して第１収容空間部１２０のみに進入した状態で固定される支持状態Ｂと、が存在する。すなわち、図１６（Ａ）に示すように、支持状態Ａでは、軸部１３２が第１収容空間部１２０又は第２収容空間部１２２に進入したパネル部材Ｐの下端部を下方から支持可能になる。詳細には、支持部材１２８が前面扉１４に支持状態Ａにて取り付けられた場合にパネル部材Ｐが第１収容空間部１２０又は第２収容空間部１２２に収容されると、パネル部材Ｐは支持部材１２８により支持されるため、パネル部材Ｐが第１収容空間部１２０又は第２収容空間部１２２に位置する状態が維持される。また、図１６（Ｂ）に示すように、支持状態Ｂでは、軸部１３２が第１収容空間部１２０に進入したパネル部材Ｐのみ、下端部を下方から支持可能になる。つまり、支持状態Ｂでは、第２収容空間部１２２に進入したパネル部材Ｐは支持不能となり、下側開口部１１６Ｂから自重により落下することとなる。なお、支持部材１２８は、前面扉１４の左右方向に沿って複数個（例えば、３個）取り付けられている。
【００３２】
また、前面扉１４の裏面側１４Ｙであって下側開口部１１６Ａ、１１６Ｂのさらに下側近傍の位置には、複数（例えば、２個）の受止部材１３４が取り付けられている。この受止部材１３４は、側面視にてＬ字型に形成されており、下側開口部１１６Ａ、１１６Ｂを通過してきたパネル部材Ｐの下端部を支持しパネル部材Ｐを受け止める機能を有している。このため、パネル部材Ｐを取り出すときには、パネル部材Ｐが重力の作用を受けて自由落下した場合でも、パネル部材Ｐが地面又は床面に落下することを防止できる。
【００３３】
次に、前面扉１４の裏面側１４Ｙ及び箱体１２の内部構成について説明する。
【００３４】
図２に示すように、前面扉１４の裏面側上部には、サブ制御基板ユニット５０が設けられている。また、サブ制御基板ユニット５０の左右にはスピーカ２４がそれぞれ取り付けられている。サブ制御基板ユニット５０は、内部に後述するサブ制御基板５２が格納されており、図１に示した演出表示装置２２や、各種ランプ類２６、スピーカ２４などを用いて行われる各種演出の制御を司っている。
【００３５】
また、前面扉１４に設けられた表示窓２８の裏面側下方には、後述する扉基板５６が格納された扉基板ユニット５４が設けられている。この扉基板ユニット５４の下方には、上記した上側開口部１１４Ａ、１１４Ｂ及び下側開口部１１６Ａ、１１６Ｂが形成されている。また、下側開口部１１６Ａ、１１６Ｂの下方には、上述した受止部材１３４が設けられている。
【００３６】
また、前面扉１４の裏面側１４Ｙには、中板部材１５が取り付けられている。この中板部材１５は、前面扉１４の幅方向一方側（本実施形態では、前面扉１４の軸部が設けられている側）を軸にして、前面扉１４に対して独立して開閉可能となるように取り付けられており、前面扉１４の裏面側１４Ｙの一部を閉塞又は開放できるように構成されている。このため、中板部材１５が前面扉１４の裏面側１４Ｙの一部を閉塞している状態では、上側開口部１１４Ａ、１１４Ｂ及び下側開口部１１６Ａ、１１６Ｂが中板部材１５に覆われて、前面扉１４の裏面側から視認不可能（アクセス不可能）になっている。具体的には、中板部材１５は、図示しないフック部材により前面扉１４に固定可能に設けられており、前面扉１４に固定された状態（前面扉１４の裏面側１４Ｙの一部を閉塞している状態）では前面扉１４の開閉動作に連動する。そして、フック部材によるロックを解除した状態の中板部材１５は、前面扉１４に対して独立して開閉可能となる。
【００３７】
また、中板部材１５には、投入された遊技メダルの通路となるメダルセレクタ５８や、遊技メダルを遊技メダル排出口４６（図１参照）に導くためのコインシュータ６０などが取り付けられている。メダルセレクタ５８は、遊技メダル投入口３４から投入された遊技メダルを主に寸法に基づいて選別し、規格寸法に適合した寸法の遊技メダルだけを受け入れる機能を有している。遊技者がスタートレバー３８を操作する前に遊技メダルを投入すると、遊技メダルはメダルセレクタ５８によって選別され、規格を満足しているものだけがホッパー６２内に投入され、規格を満足していないメダルは、コインシュータ６０を通って、遊技メダル排出口４６に返却されるようになっている。これに対して、スタートレバー３８が操作された後に遊技メダルが投入された場合は、メダルセレクタ５８内の通路が切り換わり、投入された遊技メダルは、コインシュータ６０を通って、遊技メダル排出口４６に返却される。また、メダルセレクタ５８の内部には、図示しないメダルセンサが設けられており、寸法規格を満たして受け入れられた遊技メダルはメダルセンサによって検出され、検出信号が後述の主制御基板６４に出力されるようになっている。なお、コインシュータ６０、メダルセレクタ５８は、中板部材１５が前面扉１４に固定されている場合に、前面扉１４に設けられている遊技メダル投入口３４や遊技メダル排出口４６と連通する状態になり、上述した機能を有する。
【００３８】
また、箱体１２の内部の略中央には、３つの回胴３０Ａ、３０Ｂ、３０Ｃがそれぞれ設けられている。各回胴３０Ａ、３０Ｂ、３０Ｃの上方には、遊技全体の制御を司る後述の主制御基板６４が格納された主制御基板ユニット６６と、各回胴３０Ａ、３０Ｂ、３０Ｃを駆動するための後述の回胴基板６８が格納された回胴基板ユニット７０と、が設けられている。また、３つの回胴３０Ａ、３０Ｂ、３０Ｃの下方にはリアスピーカ７２が設けられており、さらにその下方には投入された遊技メダルが集められるホッパー６２と、遊技メダルを払い出すメダル払出装置７４と、遊技機１０全体に電源を供給するための後述の電源基板７６が格納された電源ユニット７８などが設けられている。そして、電源ユニット７８の前面には、遊技機１０の電源を投入するための電源スイッチ８０が設けられている。また、メダル払出装置７４の払出口８２からコインシュータ６０の受入口８５に向けて払い出された遊技メダルは、コインシュータ６０を通って、遊技メダル排出口４６から排出されるようになっている。
【００３９】
次に、遊技機１０の電気的構成について説明する。
【００４０】
図６に示すように、遊技機１０は、主制御基板６４を中心として、サブ制御基板５２、扉基板５６、回胴基板６８、電源基板７６等がデータ通信可能となるように接続されて構成されている。
【００４１】
主制御基板６４は、遊技機１０で行われる遊技全体の進行や演出を司る基板である。この主制御基板６４には、ＣＰＵ、ＲＯＭ、ＲＡＭなどがバスによって互いにデータ通信可能に接続されて搭載されている。主制御基板６４は、前面扉１４に搭載された扉基板５６から、スタートレバー３８が操作されたことを示す信号を受け取って、遊技制御処理を実行しながら、サブ制御基板５２、扉基板５６、回胴基板６８などに向かって制御コマンド（あるいは制御信号）を出力することにより、各基板の動作を制御している。
【００４２】
主制御基板６４には、ＣＰＵ、ＲＯＭ、ＲＡＭなどがバスによって互いにデータ通信可能に接続されて搭載されている。主制御基板６４は、スロットマシン１０で実行される遊技の進行を制御する。
【００４３】
また、サブ制御基板５２には、主制御基板６４と同様に、ＣＰＵ、ＲＯＭ、ＲＡＭなどがバスによって互いにデータ通信可能に接続されて搭載されている。また、サブ制御基板５２には、各種ランプ類２６、各種スピーカ２４、７２、演出表示装置２２、回胴バックライト１０２、などが接続されている。ここで、回胴バックライト１０２とは、各回胴３０Ａ、３０Ｂ、３０Ｃの内部に設けられ、回胴３０Ａ、３０Ｂ、３０Ｃの表面に描かれた図柄を裏側から照らすライトである。サブ制御基板５２は、主制御基板６４から受け取った制御コマンドを解析して、各種ランプ類２６、各種スピーカ２４、７２、演出表示装置２２、回胴バックライト１０２、にそれぞれ駆動信号を出力することにより、これらを用いた各種演出を行っている。
【００４４】
また、扉基板５６には、メダルセレクタ５８、貯留されている遊技メダルを投入するための各種投入ボタン３６、３７、回胴３０Ａ、３０Ｂ、３０Ｃの回転を開始するためのスタートレバー３８、回転している回胴３０Ａ、３０Ｂ、３０Ｃを停止するための回胴停止ボタン４０Ａ、４０Ｂ、４０Ｃ、貯留されている遊技メダルや投入された遊技メダルを払い出して遊技を終了するための精算ボタン４２、遊技の状態を表示するため各種の表示パネル３２などが接続されている。まて、扉基板５６は、主制御基板６４とデータ通信可能に接続されている。このため、前面扉１４に設けられたスタートレバー３８、回胴停止ボタン４０Ａ、４０Ｂ、４０Ｃ、各種の投入ボタン３６、３７、精算ボタン４２などを操作すると、扉基板５６を介して、その信号を主制御基板６４に供給することが可能となっている。また、メダルセレクタ５８に設けられたメダルセンサの出力も、扉基板５６を介して主制御基板６４に供給されている。
【００４５】
回胴基板６８には、３つの回胴３０Ａ、３０Ｂ、３０Ｃをそれぞれ回転させるための回胴モータ１０４Ａ、１０４Ｂ、１０４Ｃと、それぞれの回胴３０Ａ、３０Ｂ、３０Ｃの回転位置を検出するための回胴センサ１０６Ａ、１０６Ｂ、１０６Ｃが設けられている。回胴基板６８は、回胴センサ１０６Ａ、１０６Ｂ、１０６Ｃによって、各回胴３０Ａ、３０Ｂ、３０Ｃの回転位置を検出しながら、回胴モータ１０４Ａ、１０４Ｂ、１０４Ｃを駆動することにより、それぞれの回胴３０Ａ、３０Ｂ、３０Ｃを、所望の回転位置で停止させることが可能となっている。なお、本実施形態の遊技機１０では、回胴モータ１０４Ａ、１０４Ｂ、１０４Ｃには、いわゆるステッピングモータが使用されている。
【００４６】
また、メダル払出装置７４は、中継基板７５を介して、主制御基板６４に接続されている。メダル払出装置７４は、主制御基板６４からの制御信号に基づいて、所定枚数の遊技メダルを払い出す動作を行う。メダル払出装置７４には、遊技メダルが払い出されたことを検知するために、図示しない払出センサが設けられている。遊技メダルが払い出されると、払出センサで検知して、信号が主制御基板６４に出力される。
【００４７】
また、これら各種制御基板及び基板で消費されたる電力は、電源基板７６から供給されている。電源基板７６には、１００Ｖの交流電圧が供給されており、この電力を規定電圧に変換した後、それぞれの制御基板及び基板に供給している。また、電源基板７６には、電源スイッチ８０が接続されている。なお、図６では、電源基板７６から電力が供給される様子を破線の矢印で表している。
【００４８】
次に、本発明の第１実施形態に係るスロットマシン１０の作用及び効果について説明する。
【００４９】
図２に示すように、スロットマシン１０の前面扉１４にあるパネル収容部材１１０にパネル部材Ｐを収容するときには、前面扉１４が箱体１２から開けられ、かつ中板部材１５が前面扉１４の裏面側１４Ｙから開けられた状態にする。そして、複数の支持部材１２８が前面扉１４の裏面側１４Ｙに取り付けられて、支持部材１２８の軸部１３２が第１収容空間部１２０及び第２収容空間部１２２に突出した状態にする。
【００５０】
中板部材１５が前面扉１４の裏面側１４Ｙから開けられた状態では、上側開口部１１４Ａ、１１４Ｂが露出するため、パネル部材Ｐを上側開口部１１４Ａ、１１４Ｂのいずれかに挿入することができる。これにより、パネル部材Ｐは、上側開口部１１４Ａ、１１４Ｂに対応する上側誘導部１２４Ａ、１２４Ｂを通過して、その後、重力の作用を受けて、第１収容空間部１２０又は第２収容空間部１２２を自由落下する。そして、パネル部材Ｐの下端部が支持部材１２８の軸部１３２と接触して支持される。これにより、パネル部材Ｐがパネル収容部材本体１１２に収容され、かつ第１収容空間部１２０又は第２収容空間部１２２に位置した状態になる。
【００５１】
ここで、図５に示すように、支持部材１２８の軸部１３２が第１収容空間部１２０及び第２収容空間部１２２に突出した状態では、パネル収容部材本体１１２に収容されたパネル部材Ｐは、支持部材１２８により下側開口部１１６Ａ、１１６Ｂに進入することが阻止される。このため、パネル部材Ｐは、支持部材１２８により支持された状態で、パネル収容部材本体１１２の内部（第１収容空間部１２０又は第２収容空間部１２２）で安定的に位置決めされる。
【００５２】
パネル部材Ｐが第１収容空間部１２０又は第２収容空間部１２２に位置した状態では、パネル部材Ｐはスロットマシン１０の前方から視認できる。これにより、パネル部材Ｐの表面に施された装飾がパネル収容部材本体１１２の透明板１１３を透過することにより、遊技者に確認される。なお、第１収容空間部１２０の前方に第２収容空間部１２２が位置しているが、第１収容空間部１２０と第２収容空間部１２２との間の仕切板１１５は無色透明な樹脂で構成されているため、第１収容空間部１２０内部のパネル部材Ｐの表面装飾は透過して視認可能となる。
【００５３】
次に、図７に示すように、パネル収容部材本体１１２（図７では第１収容空間部１２０）に収容されたパネル部材Ｐを別の新しいパネル部材Ｐ’と交換するときには、支持部材１２８が前面扉１４の裏面側１４Ｙから取り外される。これにより、パネル収容部材本体１１２に収容されたパネル部材Ｐは、下側開口部１１６Ａ、１１６Ｂに進入することが可能になる。
【００５４】
支持部材１２８が前面扉１４の裏面側１４Ｙから取り外されると、パネル部材Ｐは、重力の作用を受けて自由落下しつつ、下側誘導部１２６Ａ、１２６Ｂを通って対応する下側開口部１１６Ａ、１１６Ｂから排出される。
【００５５】
パネル部材Ｐが下側開口部１１６Ａ、１１６Ｂから排出されると、パネル部材Ｐは重力の作用を受けて下方に落下していくが、やがてパネル部材Ｐは、受止部材１３４により保持される。これにより、パネル部材Ｐを地面や床面に落下させることなく、回収することができる。
【００５６】
そして、図８に示すように、再度、支持部材１２８を前面扉１４の裏面側１４Ｙに取り付け、上側開口部１１４Ａから新しいパネル部材Ｐ’を挿入することにより、新たなパネル部材Ｐ’をパネル収容部材本体１１２の内部（例えば、第１収容空間部１２０）に収容することができる。
【００５７】
また、本実施形態のスロットマシン１０では、新たなパネル部材Ｐ’への交換作業として第１収容空間部１２０と第２収容空間部１２２を併用して使用することにより、交換作業をより容易に行うことができる。以下に、前述した支持部材１２８の支持状態（支持状態Ａ、Ｂ）を利用したパネル交換方法を説明する。
【００５８】
まず、図１６（Ａ）に示すように、支持状態Ａにて第２収容空間部１２２内に古いパネル部材Ｐが収容されている場合に、上側開口部１１４Ａおよび上側誘導部１２４Ａを介して新しいパネル部材Ｐ’を第１収容空間部１２０内に挿入する。その後、図１６（Ｂ）に示す支持部材１２８を支持状態Ｂとすることで、第２収容空間部１２２内の古いパネル部材Ｐだけが下側誘導部１２６Ｂおよび下側開口部１１６Ｂを介して自重により排出される。これにより、支持部材１２８に対する操作を何回も行う必要をなくすことができ、パネル部材の交換作業を容易に行うことができる。
【００５９】
以上のように、第１実施形態によれば、パネル部材Ｐに特殊な細工（例えば、タグ付け）を施すことなく、パネル収容部材本体１１２の第１収容空間部１２０、第２収容空間部１２２に収容されたパネル部材Ｐを容易に取り出すことができる。特に、パネル収容部材本体１１２に収容されたパネル部材Ｐを別の新しいパネル部材Ｐ’と交換する際には、支持部材１２８を前面扉１４の裏面側１４Ｙから取り外すことにより、パネル収容部材本体１１２に収容された古いパネル部材Ｐが重力の作用を受けて自由落下するため、パネル部材Ｐの取出作業あるいは交換作業が極めて容易になる。
【００６０】
また、支持部材１２８によって各収容空間部（第１収容空間部１２０、第２収容空間部１２２）内に収容されるパネル部材Ｐを支持する構成として支持状態Ａと支持状態Ｂとを設けたことから、各収容空間部を利用して、パネル部材Ｐの交換作業を容易に行うことができる。
【００６１】
また、パネル部材Ｐの挿入及び排出に使用する上側開口部１１４Ａ、１１４Ｂ及び下側開口部１１６Ａ、１１６Ｂが前面扉１４の裏面側１４Ｙに形成されているため、パネル部材Ｐの挿入作業と取出作業（パネル部材Ｐの交換作業）とを、前面扉１４の裏面側１４Ｙだけを利用して実行することができる。このため、パネル部材Ｐを円滑に交換することができる。また同時に、パネル部材Ｐの挿入及び取出（排出）に使用する上側開口部１１４Ａ、１１４Ｂ及び下側開口部１１６Ａ、１１６Ｂが前面扉１４の裏面側１４Ｙに形成されているため、前面扉１４が閉じられたときには、上側開口部１１４Ａ、１１４Ｂ及び下側開口部１１６Ａ、１１６Ｂがスロットマシン１０の内部に隠れることになる。このため、遊技者等がパネル部材Ｐに容易にアクセスすることができない。この結果、パネル部材Ｐに対する悪戯行為（不正行為）を防止することができる。
【００６２】
また、前面扉１４には受止部材１３４が設けられているため、パネル部材Ｐが自由落下して下側開口部１１６Ｂから排出された場合でも、パネル部材Ｐを受止部材１３４で受け止めることができる。これにより、パネル収容部材本体１１２の第１収容空間部１２０から排出されたパネル部材Ｐは地面や床面に落下することがないため、排出されたパネル部材Ｐが周囲に散乱することを防止しつつ、パネル部材Ｐを汚すことなく、容易に回収することができる。
【００６３】
さらに、コインシュータ６０、メダルセレクタ５８等の遊技部材が設けられた中板部材１５を前面扉１４の裏面側１４Ｙに開閉可能に設けたことで、パネル部材Ｐの挿入作業と取出作業（パネル部材Ｐの交換作業）を前面扉１４の裏面側１４Ｙから実行するに際して、従来、前面扉１４の裏面側に固定されていたコインシュータ６０、メダルセレクタ５８等の遊技部材を取り外す手間を省くことができる。この結果、パネル部材Ｐの交換作業が容易に可能となる。
【００６４】
なお、本実施形態の遊技機では、第１収容空間部１２０と第２収容空間部１２２とが設けられていることから、複数枚のパネル部材Ｐを同時に挿入した状態とすることができる。これを利用して、装飾の異なるパネル部材Ｐを第１収容空間部１２０と第２収容空間部１２２にそれぞれ挿入し、２枚のパネル部材によって一体的な装飾模様を形成することができる。具体的には、前面側１４Ｘのパネル部材Ｐ（第２収容空間部１２２に挿入されるパネル部材）の一部の装飾が透過性を有するものとして、裏面側１４Ｙのパネル部材Ｑ（第１収容空間部１２０に挿入されるパネル部材）の装飾を前面扉１４の前面側１４Ｘからパネル部材Ｐの一部を透過して視認可能にする構成とする。このようにすれば、前後のパネル部材（パネル部材Ｐとパネル部材Ｑ）を重ねることで一体の装飾を完成させることができ、従来にない斬新なパネル装飾を実現することができる。このような２重のパネル部材Ｐを有するスロットマシン１０としても、前述した本実施形態の構造により、容易に交換作業を行うことができる。
【００６５】
次に、本発明の第２実施形態に係るスロットマシンについて説明する。
なお、第１実施形態のスロットマシン１０と重複する構成には、同符号を付し、その説明を適宜省略する。
【００６６】
図９及び図１０に示すように、第２実施形態のスロットマシンは、前面扉１４の裏面側１４Ｙであって下側開口部１１６Ａ、１１６Ｂの近傍に吸引ファン１３６が設けられて構成されている。この吸引ファン１３６は、サブ制基板５２により駆動制御されるものであり、パネル収容部材本体１１２の内部（第１収容空間部１２０及び第２収容空間部１２２）の空気を吸引する手段として機能する。
【００６７】
第２実施形態によれば、パネル収容部材本体１１２の第１収容空間部１２０に収容されたパネル部材Ｐを取り出すときには、吸引ファン１３６を駆動することにより、パネル部材Ｐは、重力の作用と共に吸引力の作用も受けて、下側誘導部１２６Ａ、１２６Ｂ及び下側開口部１１６Ａ、１１６Ｂに導かれる。これにより、パネル部材Ｐを下側開口部１１６Ａ、１１６Ｂから容易に取り出すことができる。
【００６８】
次に、本発明の第３実施形態に係るスロットマシンについて説明する。
なお、第１実施形態のスロットマシン１０と重複する構成には、同符号を付し、その説明を適宜省略する。
【００６９】
図１１に示すように、第３実施形態のスロットマシンは、パネル部材Ｐが磁性部材又は金属で構成されるとともに、前面扉１４の裏面側１４Ｙであって下側開口部１１６Ａ、１１６Ｂの近傍にパネル部材Ｐを磁力により引き付ける磁石１３８が設けられて構成されている。
【００７０】
第３実施形態によれば、パネル収容部材本体１１２の第１収容空間部１２０に収容されたパネル部材Ｐを取り出すときには、パネル部材Ｐが磁石１３８の磁力により引き付けられる。これにより、パネル部材Ｐは、重力の作用と共に磁力の作用も受けて、下側誘導部１２６Ａ、１２６Ｂ及び下側開口部１１６Ａ、１１６Ｂに導かれる。この結果、パネル部材Ｐを下側開口部１１６Ａ、１１６Ｂから容易に取り出すことができる。
【００７１】
次に、本発明の第４実施形態に係るスロットマシンについて説明する。
なお、第１実施形態のスロットマシン１０と重複する構成には、同符号を付し、その説明を適宜省略する。
【００７２】
図１２に示すように、第４実施形態のスロットマシンは、パネル部材Ｐの下端部に磁石又は金属製の錘部材１４０が取り付けられて構成されている。この構成では、錘部材１４０の重量分だけパネル部材Ｐの重量が大きくなるので、パネル部材Ｐを下方に自由落下し易くなり、下側開口部１１６Ａ、１１６Ｂから容易に排出させることができる。
【００７３】
ここで、パネル部材Ｐの下端部に錘部材１４０を予め取り付け、錘部材１４０が取り付けられたパネル部材Ｐを上側開口部１１４Ａ、１１４Ｂから挿入してパネル収容部材本体１１２に収容し、その後、錘部材１４０が取り付けられたパネル部材Ｐを下側開口部１１６Ａ、１１６Ｂから排出するように構成してもよい。また、錘部材１４０を支持部材１２８上に予め置いておき、パネル部材Ｐの下端部に錘部材１４０が予め取り付けられていない状態で、パネル部材Ｐを上側開口部１１４Ａ、１１４Ｂから挿入してパネル収容部材本体１１２に収容し、パネル収容部材本体１１２に収容されたときにパネル部材Ｐの下端部に錘部材１４０を装着し、その後、錘部材１４０が取り付けられたパネル部材Ｐを下側開口部１１６Ａ、１１６Ｂから排出するように構成してもよい。なお、錘部材１４０及び支持部材１２８を磁性部材（例えば、磁石など）で構成して相互に磁力により引き付けられている構成が好ましい。
【００７４】
次に、本発明の第５実施形態に係るスロットマシンについて説明する。
なお、第１実施形態のスロットマシン１０と重複する構成には、同符号を付し、その説明を適宜省略する。
【００７５】
図１３及び図１４に示すように、第５実施形態のスロットマシンは、第５実施形態と同様にして、パネル部材Ｐの下端部に磁石又は金属製の錘部材１４０が取り付けられて構成されている。また、前面扉１４の裏面側１４Ｙであって下側開口部１１６Ａ、１１６Ｂの近傍にパネル部材Ｐの錘部材１４０を磁力により引き付ける磁石１４２が設けられている。
【００７６】
第５実施形態によれば、パネル部材Ｐを取り出す際に、パネル部材Ｐの錘部材１４０が磁力により磁石１４２に引き付けられるため、パネル部材Ｐを下側開口部１１６Ａ、１１６Ｂから容易に排出させることができる。
【００７７】
次に、本発明の第６実施形態に係るスロットマシンについて説明する。
なお、第１実施形態のスロットマシン１０と重複する構成には、同符号を付し、その説明を適宜省略する。
【００７８】
図１５に示すように、第６実施形態のスロットマシンは、上側開口部１１４Ａ、１１４Ｂと下側開口部１１６Ａ、１１６Ｂに替えて、前面扉１４の裏面側１４Ｙの左右両側に左側開口部（第１挿通部）１４４Ａ、１４４Ｂと右側開口部（第２挿通部）１４６Ａ、１４６Ｂが形成されて構成されている。また、パネル収容部材１１２の内部に左右方向に貫通した収容空間部を形成し、左側開口部１４４Ａ、１４４Ｂからパネル部材Ｐを挿入して右側開口部１４６Ａ、１４６Ｂから取り出す（排出する）ように構成される。なお、右側開口部１４６Ａ、１４６Ｂの近傍に支持部材１４８が着脱可能に取り付けられている。
【００７９】
第６実施形態によれば、パネル部材Ｐを前面扉１４の裏面側１４Ｙの左側開口部１４４Ａ、１４４Ｂから挿入して、右側開口部１４６Ａ、１４６Ｂから取り出すことができるため、前面扉１４の裏面側１４Ｙに生じているデッドスペースを有効に利用することができる。
【００８０】
なお、上述した第１〜第６実施形態では、支持部材１２８、１４８を前面扉１４から取り外し可能な構成で説明したが、本発明はこれに限定されるものではなく、支持部材１２８、１４８を前面扉１４の裏面側１４Ｙに一体的に設けることとしてもよい。つまり、支持部材１２８、１４８をパネル部材Ｐが取り出される開口部（第２挿通部）を閉鎖する状態と開放する状態とに変移可能な状態で前面扉１４の裏面側に固定して設ける。かかる構成により、支持部材１２８、１４８の紛失を防ぐことができる。
【図面の簡単な説明】
【００８１】
【図１】本発明の第１実施形態に係る遊技機の正面図である。
【図２】本発明の第１実施形態に係る遊技機の扉体を開いて遊技機の内部の構成を示した斜視図である。
【図３】本発明の第１実施形態に係る遊技機の扉体の裏面図である。
【図４】本発明の第１実施形態に係る遊技機の扉体の側面図である。
【図５】本発明の第１実施形態に係る遊技機の扉体のパネル収容部材本体にパネル部材が収容された状態を示す要部拡大図である。
【図６】本発明の第１実施形態に係る遊技機の電気的構成を示したブロック図である。
【図７】本発明の第１実施形態に係る遊技機の扉体のパネル収容部材本体に収容されていたパネル部材が第２挿通部から排出される状態を示す要部拡大図である。
【図８】本発明の第１実施形態に係る遊技機の扉体のパネル収容部材本体に収容するためのパネル部材が第１挿通部から挿入される状態を示す要部拡大図である。
【図９】本発明の第２実施形態に係る遊技機の扉体のパネル収容部材本体にパネル部材が収容された状態を示す要部拡大図である。
【図１０】本発明の第２実施形態に係る遊技機の扉体のパネル収容部材本体に収容されていたパネル部材が第２挿通部から排出される状態を示す要部拡大図である。
【図１１】本発明の第３実施形態に係る遊技機の扉体のパネル収容部材本体に収容されていたパネル部材が第２挿通部から排出される状態を示す要部拡大図である。
【図１２】本発明の第４実施形態に係る遊技機の扉体のパネル収容部材本体にパネル部材が収容された状態を示す要部拡大図である。
【図１３】本発明の第５実施形態に係る遊技機の扉体のパネル収容部材本体にパネル部材が収容された状態を示す要部拡大図である。
【図１４】本発明の第５実施形態に係る遊技機の扉体のパネル収容部材本体に収容されていたパネル部材が第２挿通部から排出される状態を示す要部拡大図である。
【図１５】本発明の第６実施形態に係る遊技機の扉体の裏面図である。
【図１６】（Ａ）は、支持部材が第１収容空間部及び第２収容空間部の両方を貫通した状態を示す部分拡大図であり、（Ｂ）は、支持部材が第１収容空間部のみを貫通した状態を示す部分拡大図である。
【符号の説明】
【００８２】
１０      スロットマシン（遊技機）
１２      箱体
１４      前面扉（扉体）
１４Ｘ    前面側
１４Ｙ    裏面側
５８      メダルセレクタ（遊技部材）
６０      コインシュータ（遊技部材）
１１０    パネル収容部材
１１２    パネル収容部材本体
１１４Ａ  上側開口部（第１挿通部）
１１４Ｂ  上側開口部（第１挿通部）
１１６Ａ  下側開口部（第２挿通部）
１１６Ｂ  下側開口部（第２挿通部）
１２８    支持部材
１３４    受止部材
１４４    左側開口部（第１挿通部）
１４６    右側開口部（第２挿通部）
１４８    支持部材
Ｐ        パネル部材
【図１】
0004984079.tif 000002
【図２】
0004984079.tif 000003
【図３】
0004984079.tif 000004
【図４】
0004984079.tif 000005
【図５】
0004984079.tif 000006
【図６】
0004984079.tif 000007
【図７】
0004984079.tif 000008
【図８】
0004984079.tif 000009
【図９】
0004984079.tif 000010
【図１０】
0004984079.tif 000011
【図１１】
0004984079.tif 000012
【図１２】
0004984079.tif 000013
【図１３】
0004984079.tif 000014
【図１４】
0004984079.tif 000015
【図１５】
0004984079.tif 000016
【図１６】
0004984079.tif 000017